(57)【特許請求の範囲】
【請求項１】
基板（８）をコーティングするために、均一に分散されたガス出口孔（６）を設けたガス出口面（２’）を具備するガス分配室（５）を有するガス入口部材（２）を備え、ガス分配室（５）に供給されたプロセスガスがガス出口孔を通してプロセスチャンバ（７）に、そして、プロセスチャンバの床に配置された基板（８）に到達することができ、ガス出口面が、共通する面内に位置する複数のガス出口プレート（１０、１１、１２、１３、１４、１５、１６、１７、１８、１９）から形成され、ガス出口プレートは、ガス分配室（５）の容積を規定する側壁（５’）から離れて配置された分離ゾーン（１０’、１０”、１１’、１１”、１２’、１２”、１３’、１３”、１４”、１５’、１６’、１７’、１８’）の領域にて互いに結合されている装置であって、
隣り合う２枚のガス出口プレート（１０〜１９）が、分離ゾーン（１０’、１０”、１１’、１１”、１２’、１２”、１３’、１３”、１４”、１５’、１６’、１７’、１８’）に沿って蝶番状に互いに変位させられ、かつ、各ガス出口プレート（１０〜１９）が少なくとも１つのハンガー（２０）によりガス入口部材（２）の後壁（２２）、ハウジング（１）の天井、又は支持フレームワーク（２９）に固定されており、その場合、ハンガー（２０）が、プロセスチャンバの床に対するガス出口プレート（１０〜１９）の鉛直位置を調整するために調整要素（３２）を有することを特徴とする装置。
【請求項２】
隣り合う２枚のガス出口プレート（１０〜１９）が、分離ゾーン（１０’、１０”、１１’、１１”、１２’、１２”、１３’、１３”、１４”、１５’、１６’、１７’、１８’）の領域にてオーバーラップするか又は接続片（２８）によりオーバーラップされることを特徴とする請求項１に記載の装置。
【請求項３】
ガス出口プレート（１０〜１９）の吊り下げのために少なくとも３つのハンガーが用いられることを特徴とする請求項１又は２に記載の装置。
【請求項４】
ガス出口プレート（１０〜１９）を加熱するための加熱装置（３）を特徴とする請求項１〜３のいずれかに記載の装置。
【請求項５】
調整要素（３２）がガス入口部材（２）の後壁（２２）に配置されていることを特徴とする請求項１〜４のいずれかに記載の装置。
【請求項６】
ガス出口プレート（１０〜１９）が、分離ゾーンにて断面における切り欠きをもつ突起（２４、２５）を有し、それらがオーバーラップするか、又は、接続片（２８）によりオーバーラップされることにより、分離ゾーン（１０’、１０”、１１’、１１”、１２’、１２”、１３’、１３”、１４”、１５’、１６’、１７’、１８’）で互いに掛合する２枚のガス出口プレート（１１〜１９）の広い面が同一の平面となるように互いに結合することを特徴とする請求項１〜５のいずれかに記載の装置。
【請求項７】
各ガス出口プレート（１１、１９）がそれぞれ加熱可能な加熱要素（３）を割り当てられていることを特徴とする請求項１〜６のいずれかに記載の装置。
【請求項８】
ガス出口プレート（１０〜１９）のガス出口面が互いに異なる大きさで形成されていることを特徴とする請求項１〜７のいずれかに記載の装置。
【発明の詳細な説明】
【技術分野】
【０００１】
本発明は、ガス入口部材を有する、基板のコーティングのための装置に関し、ガス入口部材は、ガス出口面をもつガス分配室を具備し、ガス出口面は実質的に均一に分散して配置されたガス出口孔を具備し、ガス分配室に供給されたプロセスガスは、ガス出口孔を通してプロセスチャンバに、そしてプロセスチャンバの床に配置された基板へと到達することができ、その場合、ガス出口面は、共通する面内に位置する複数のガス出口プレートから形成され、それらのガス出口プレートは、ガス分配室の容積を規定する側壁から離れて配置された分離ゾーンの領域で互いに結合されている。
【背景技術】
【０００２】
特許文献１は、ＣＶＤ反応炉内のガス入口部材を開示しており、それによればガス入口部材が９枚の底プレートを有し、それらの各々が電極を形成している。
【０００３】
特許文献２は、プロセスチャンバの天井の下面に配置された金属電極を開示しており、それらの間に電気プレートが配置されている。電極内にガス通過孔が配置されている。
【０００４】
特許文献３は、ガス出口面を具備するシャワーヘッドの形態のガス入口部材を開示している。
【０００５】
ＣＶＤコーティングシステムもまた、特許文献４及び未公開の特許文献５により知られている。
【０００６】
特許文献６及び特許文献７は、ガス出口孔をもつガス出口面を有する入口部材を開示しており、それは保持部材を用いて上方に固定されている。
【先行技術文献】
【特許文献】
【０００７】
【特許文献１】特開２０１３−１８７３１８号公報
【特許文献２】米国特許出願公開第2011/0180213号明細書
【特許文献３】米国特許出願公開第2010/0167551号明細書
【特許文献４】独国特許出願公開第10 2013 101 534号明細書
【特許文献５】独国特許出願第10 2014 116 991号明細書
【特許文献６】米国特許第8,721,791号明細書
【特許文献７】米国特許出願公開第2009/0133631号
【発明の概要】
【発明が解決しようとする課題】
【０００８】
本発明に関係するコーティング装置は、コーティングされる基板を受容するためのサセプタと、ガス分配器の機能をもつガス入口部材とを有し、それによりプロセスガスをプロセスチャンバに導入することができる。プロセスチャンバは、ガス分配器の下方かつサセプタの上方に位置する。ガス入口部材のガス出口面の下面に配置されたガス出口孔を通ってプロセスガスがプロセスチャンバに入る。ガス入口部材の内部には、ガス出口孔に対してプロセスガスを分配するための少なくとも１つの室がある。しかしながら、ガス入口部材内に複数のガス分配室を配置することができ、それらの各々は、それぞれ関係するガス出口孔と連通している。
【０００９】
ＯＬＥＤの堆積のために、有機開始物質が搬送ガスと共に、加熱されたガス分配室に供給される。少なくともガス出口面が加熱される。プロセスガスの凝縮温度より高い温度であるガス出口孔を通って、搬送ガスとその搬送ガスにより搬送されるプリカーサとがプロセスチャンバに入る。ガス状のプリカーサは基板上で凝縮される。そのために基板は、冷却されたサセプタにより支持されている。基板は、１平方メートル以上の表面積を有することがある。この結果、２〜３メートルのサセプタ直径を有するコーティング装置を作製する必要性がある。ガス入口部材は、サセプタの全面に亘って延在するべきである。従って、ガス入口部材は、２〜３メートルの直径を有しなければならない。その一方、プロセスチャンバは、僅か数センチメートルのプロセスチャンバ高さを有する。
【００１０】
本発明の目的は、大面積基板をプロセスチャンバ内でコーティングできるように、本発明により装置を改良することである。
【課題を解決するための手段】
【００１１】
この目的は、請求の範囲に記載された本発明により解決され、各請求項は、原則的にこの課題に対する独立した解決手段である。
【００１２】
先ず、実質的に、連続したガス分配室のガス出口面が、複数のガス出口プレートから形成されることが提示される。それらのガス出口プレートは共通する面内に位置する。ガス出口プレートは、分離ゾーンにおいて互いに隣接している。分離ゾーンは、分離ラインとすることができる。隣り合うガス出口プレートは、分離ゾーンにおいて直接的に互いに結合されている。しかしながら、それらは、例えば２枚の隣接するガス出口プレートの間に格子状の担持フレーム等のウェブが延在する場合は、間接的に互いに結合されることができる。ガス分配室の容積は、側壁により規定される。分離ゾーンは、ガス分配室の側壁から離れて延在する。分離ゾーンは直線的に延在し、それによりガス分配室と交差することができる。２枚のガス出口プレートが直接的に互いに隣接する場合、ガス分配室と交差する分離ラインが形成される。それにより、個々のガス出口プレートからなるガス出口面は、製造技術上、簡易な方法で作製可能である。さらに、互いに結合したガス出口プレートが分離ゾーンの領域で互いに向かってわずかに移動可能であることが好適である。隣接するガス出口プレートは、分離ゾーン又は分離ラインに沿って蝶番状に互いに対して変位することができることが提示される。適切な調整要素を用いて、プロセスチャンバの床に対する各ガス出口プレートの高さを調整することができる。
【００１３】
上述した技術的特徴に替えて、又はそれと組み合わせて、本発明による装置は、２枚の隣接するガス出口プレートが分離ゾーンにおいてオーバーラップすることによっても改良され得る。このために、ガス出口プレートは、断面において切り欠きをもつ突起を有する。断面において切り欠きをもつ突起が互いに重なり合って掛合することにより、プロセスチャンバに向いた広い面に隣接するガス出口プレートと、ガス分配室に向いた広い面に隣接するガス出口プレートとが、同一平面で互いに重なる。
２枚の互いに隣り合って配置されたガス出口プレートの固定は、螺合によって行うことができ、その場合、螺合される螺子は、ガス出口プレートがオーバーラップする領域を通って締結される。
２枚の隣接するガス出口プレートの直接的なオーバーラップではなく、接続片を設けることもできる。この接続片は、好適には、ガス出口プレートの約半分の材料厚さを有することが好適であり、断面においてそれぞれ切り欠きをもつ２つの突起により形成された同一平面の１つの凹部内に位置し、その凹部はガス分配室の方に向いていることが好適である。
各ガス出口プレートは、少なくとも１つのハンガーにより上向きに固定されることが好適である。そのハンガーは、ガス入口部材の後壁、ハウジングの天井、又は、ハウジングの天井に取り付けられた支持フレームワークに固定することができる。少なくとも幾つかのガス出口プレートは、少なくとも３つのハンガーにより取り付けられる。
各ガス出口プレートは、その全面に亘って実質的に均一に配置されたガス出口孔を有することにより、ガス出口面全体がシャワーヘッドの形態に形成される。
ガス出口プレートを加熱することができる加熱装置を設けることが提示される。各ガス出口プレートがそれぞれに割り当てられた加熱装置を有することができる。加熱装置は、電流を流すことにより加熱されるフィラメントとすることができる。これは、ガス分配室の方に向いたガス出口プレートの広い面の溝に収容することができる。
基板に対する各ガス出口プレートの鉛直位置を調整可能な調整要素が設けられる。この調整要素は、ガス出口面の後壁に配置されることが好適である。それらは、ハンガーの後壁側の上端に設けることができる。調整要素は螺子要素とすることができ、例えば、螺子付きシャフトと協働するナットである。
サセプタが冷却装置を設けられる。これは、サセプタ内に配置された冷却ダクトにより形成される。
ハウジングからプロセスガス又は搬送ガスを出すためのガス出口部材が、真空ポンプに接続されることができ、それによりハウジングを排気可能である。
ハンガーは、ガス状のプレカーサと直接接触できないように配置されていることが好適である。
ガス出口プレートの高さ位置及びその鉛直位置はまた、個別に調整可能であるように設けられる。連続的なガス出口面を形成するために用いられるガス出口プレートは、互いに異なる大きさを有することができる。ガス出口プレートは、長方形の形状を有すると共にエッジを有し、それらのエッジは、隣り合う２枚のガス出口プレートがオーバーラップすることによって互いに結合可能であるように構成されることが好適である。分離ゾーンと一致するオーバーラップゾーンは、ガス出口プレート上において直接隣接して配置された２つのガス出口孔の間の距離よりも短い幅を有する。機械的、特に電気機械的な調整要素を設けることができ、それを用いてハンガーに掛けることにより、サセプタの上方のガス出口プレートの高さを調整することができる。
本発明の変形においては、第２のハンガーが設けられ、それを用いてガス入口部材の後壁を、ハウジングの天井又はハウジングの天井に固定された支持フレームワークのいずれかから吊り下げることができる。
【００１４】
本発明の実施形態の例は、以下に示す添付の図面を参照して説明されるが、図面はコーティングシステムの構成要素を単に概略的に示している。
【図面の簡単な説明】
【００１５】
【図１】図１は、本発明の第１の実施形態のコーティング装置の断面図であり、３枚の出口プレート１０、１１、１２が、１つのガス分配室５に割り当てられたガス出口面２’を形成している。
【図２】図２は、均一なガス出口面を形成する１０枚の異なる大きさのガス出口プレート１０〜１９の組合せの斜視図である。
【図３】図３は、図２のラインＩＩＩ−ＩＩＩの断面図である。
【図４】図４は、更なる実施形態の図３と同様の図である。
【図５】図５は、更なる実施形態の図１と同様の図である。
【図６】図６は、更なる実施形態の図５と同様の図である。
【発明を実施するための形態】
【００１６】
図１は、ＯＬＥＤを堆積するためのコーティング装置のハウジング１を概略的に示している。ハウジング１の内部には、平坦で中空の筐体であるガス入口部材２を有し、それは後壁２２を具備し、それに対し、全部で３枚のガス出口プレート１０、１１、１２がハンガー２０により固定されている。
【００１７】
ガス出口面２’を形成するガス出口プレート１０、１１、１２の下方に、数センチメートルの高さのプロセスチャンバ７が配置されている。プロセスチャンバ７の床は、サセプタ９の上向きの表面であり、それは、少なくとも１平方メートルのコーティングされる基板８を担持する。好適には長方形のサセプタ９の対角線は、約２〜３メートルである。サセプタ９の内部には、冷却液体の通路となる冷却ダクト２３がある。
【００１８】
ガス出口面２’は、サセプタ９の表面全体に亘って延在している。従って、それは２〜３メートルの対角線を有する。
【００１９】
筐体形状のガス入口部材２は、側壁５’を形成している。側壁５’は、一繋がりのガス分配室９を取り囲み、ガス分配室９は、外部からの供給管４から、搬送ガスとそれにより搬送されるガス状のプレカーサとを供給される。
【００２０】
ガス入口部材２は、ハンガー２１によりハウジング１の天井の下面に固定されている。このために、ハンガーは、その一端でハウジング１の天井に、その他端でガス入口部材の後壁２２に固定されている。後壁２２上にハンガー２０が固定され、ハンガー２０は後壁２２からガス出口プレート１０、１１、１２まで延在している。従って、ガス出口プレート１０、１１、１２の各々は、少なくとも１つのハンガー２０により後壁２２に固定されている。
【００２１】
隣り合う２枚のガス出口プレート１０、１１、１２は、分離ゾーン１０’、１１’で互いに結合されている。従って、分離ゾーンは、ガス分配室５の下方において側壁５’から離れた位置に自由に延在しており、よって分離ゾーンには、局所的に壁等が全く割り当てられていない。この実施形態の例においては、各分離ゾーン１０’、１１’に、断面においてｚ形状をもつ直線状に延在する掛合エッジが形成され、その上で隣り合う２枚のガス出口プレート１０、１１、１２が互いに掛合している。分離ゾーン１０’、１１’の領域において、互いに掛合する２枚のガス出口プレート１０、１１、１２がオーバーラップしている。
【００２２】
各ガス出口プレート１０、１１、１２は、多数のガス出口孔６を有する。符号３は、加熱装置を示しており、それによりガス出口プレート１０、１１、１２を加熱することができる。加熱装置３を用いてガス出口プレート１０、１１、１２は、有機開始物質の凝縮温度より高い所定の温度に加熱される。有機開始物質は、プロセスチャンバ７に供給されるために、供給管４を通ってガス分配室５に供給されそしてガス出口孔６を通ってガス分配室５から出て行く。有機開始物質は、蒸気として基板８の表面に到達し、そこで蒸気は、コーティングを形成しつつ凝縮する。
【００２３】
図２に示した実施形態の例は、全部で１０枚のガス出口プレート１０、１１、１２、１３、１４、１５、１６、１７、１８、１９から形成されたガス出口面を示している。各ガス出口プレート１０〜１９は長方形の形状を有する。それらは互いに前後及び左右に並列に配置されている。それらは異なる大きさを有する。ガス出口プレート１０〜１９は、二次元マトリクスの形態で１つの面内に配置されている。
【００２４】
隣り合う２枚のガス出口プレート１０〜１９は、直線状に延在する分離ゾーン１０’、１０”、１１’、１１”、１２’、１２”、１３’、１３”、１４”、１５’、１６’、１７’及び１８’において互いに掛合している。幾つかのガス出口プレート、すなわちガス出口プレート１１、１２、１３、１５、１６、１７は、全部で３つの互いに直角であるエッジを有し、それらは隣り合うガス出口プレートのエッジと互いに突き合わされている。隣り合うガス出口プレート１０〜１９は、オーバーラップ領域を形成して互いに掛合しており、そのオーバーラップ領域は、隣り合う２枚のガス出口プレートの広い面が同一の平面で互いに結合されるように構成されている。
【００２５】
図３は、ガス出口プレート１７と１８の間の分離ゾーン１７’の拡大図を示している。ガス出口プレート１７は、断面において切り欠きのあるエッジ領域を有することにより、突起２４とその上に重なる自由空間が形成されている。同様に、ガス出口プレート１８のエッジは、断面において切り欠かれていることにより、そこに突起２５がその上に重なる自由空間と共に形成される。２つの突起２４、２５はこのようなオーバーラップを生じることができ、それにより螺子２６が突起２５の孔を通って挿入され、そして突起２４の内螺子に螺合されることができる。それによって、隣り合う２枚のガス出口プレート１７、１８を互いに結合することができる。
【００２６】
さらに図３は、溝２７に載置されたヒーター３も示しており、それによりガス出口プレート１７、１８が加熱されることができる。各ガス出口プレート１７、１８がそれぞれヒーター３を割り当てられることにより、ガス出口プレート１７、１８を個別に加熱可能である。
【００２７】
図４は、図３に替わる構成を示す。この場合も、隣り合う２枚のガス出口プレート１７、１８のエッジがそれぞれ突起２４を形成する。しかしながら、２つの突起２４は、上向きの、ガス分配室の方に開口した１つの溝を形成している。この開口した溝の中に接続片２８が載置される。この接続片は、ガス出口プレート１７、１８の材料厚さの約半分の厚さを有する。接続片２８の突起２４との接続は、この場合も螺子２６を用いて行われる。
【００２８】
図５に示した実施形態の例では、調整要素３２が示されており、それを用いてハンガー２０の効果的な長さを調整することができる。調整要素３２は、ここではガス入口部材２の後壁上に配置されている。それらは、螺子付きシャフトに締結されるナットとすることができ、ナットの回転によって、ガス出口プレート１１、１２に端部を固定されたハンガー２０の効果的な長さを調整できる。
【００２９】
ハンガー２１により、ガス入口部材２の全体が、熱的に安定した支持フレームワーク２９に固定されている。支持フレームワーク２９は、十分な剛性を有することにより、ハウジング１の排気によっても加熱によっても、いかなる顕著な作用においても変形しない。支持フレームワーク２９は、固定要素３０を用いてハウジング１の天井に固定されている。
【００３０】
図６に示した実施形態の例は、実質的に図５に示した実施形態の例に対応する。この場合も、ガス出口プレート１１、１２、１３におけるガス分配室の方に向いた側にハンガー２０が当接している。ハンガー２０は、支持フレームワーク２９に固定されている。そこにも、ハンガー２０の効果的な長さを調整することによりサセプタに対するガス出口プレート１１、１２、１３の鉛直位置を調整するために調整要素３２が配置されている。支持要素３１が設けられており、それはハンガー２０と固く接続されると共にガス入口部材２の後壁２２を支持している。この実施形態の例においては、ガス出口プレート１０〜１９が金属から作製される。金属表面はコーティングされてもよい。この実施形態の例では、１つの分配室のみを有するガス入口部材を示している。図示しない実施形態の例では、複数のガス分配室を具備するガス入口部材を有することにより、互いに異なるプロセスガスを分離してプロセスチャンバに導入することができる。
【００３１】
上述した説明は、本願により包含される本発明を全体的に説明するためのものであり、それらはまた、少なくとも以下の特徴の組み合わせによっても各々独立しても従来技術を進展させるものである。すなわち：
【００３２】
ガス出口面が、共通する面内に配置された複数のガス出口プレート１０、１１、１２、１３、１４、１５、１６、１７、１８、１９から形成されていることを特徴とする装置。
【００３３】
隣り合うガス出口プレート１０〜１９が分離ゾーン１０’、１０”、１１’、１１”、１２’、１２”、１３’、１３”、１４”、１５’、１６’、１７’、１８’の領域で互いに隣接して配置されており、その分離ゾーン１０’、１０”、１１’、１１”、１２’、１２”、１３’、１３”、１４”、１５’、１６’、１７’、１８’は、ガス分配室５の容量を規定する側壁５’から離れて配置されていることを特徴とする装置。
【００３４】
プロセスチャンバの床に対するガス出口プレート１０〜１９の距離を調整するために、隣り合う２枚のガス出口プレート１０〜１９は、それらの共通する分離ゾーン１０’、１０”、１１’、１１”、１２’、１２”、１３’、１３”、１４”、１５’、１６’、１７’、１８’に沿って蝶番状に互いに変位することができることを特徴とする装置。
【００３５】
隣り合う２枚のガス出口プレートが、分離ゾーン１０’、１０”、１１’、１１”、１２’、１２”、１３’、１３”、１４”、１５’、１６’、１７’、１８’の領域でオーバーラップするか又は接続片２８によりオーバーラップされることを特徴とする装置。
【００３６】
各ガス出口プレート１０〜１９が、少なくともハンガー２０によりガス入口部材２の後壁２２、ハウジングの天井又は支持フレームワーク２９に固定されていることを特徴とする装置。
【００３７】
ガス出口プレート１０〜１９の吊り下げのために少なくとも３つのハンガーが用いられることを特徴とする装置。
【００３８】
ガス出口プレート１０〜１９を加熱するための加熱装置３を特徴とする装置。
【００３９】
ハンガー２０が、ガス出口プレート１１〜１９の鉛直位置を調整するために調整要素３２を有し、その調整要素が特にガス入口部材の後壁に配置されていることを特徴とする装置。
【００４０】
ガス出口プレート１０〜１９が、分離ゾーンにて断面における切り欠きをもつ突起２４、２５を有し、それらがオーバーラップするか、又は、接続片２８によりオーバーラップされることにより、分離ゾーン１０’、１０”、１１’、１１”、１２’、１２”、１３’、１３”、１４”、１５’、１６’、１７’、１８’で互いに掛合する２枚のガス出口プレート１１〜１９の広い面が同一の平面となるように互いに結合することを特徴とする装置。
【００４１】
各ガス出口プレート１１、１９がそれぞれ加熱可能な加熱要素３を割り当てられていることを特徴とする装置。
【００４２】
ガス出口プレート１０〜１９のガス出口面が互いに異なる大きさで形成されていることを特徴とする装置。
【００４３】
開示された全ての特徴（それ自体もまた互いの組合せにおいても）本発明の本質である。本願の開示には、関係する優先権書類（先願の複写）もまたその全体が、それらの書類の特徴を本願の請求の範囲に組み込む目的も含め、ここに包含される。従属項はその構成により特徴付けられ、従来技術に対する独立した進歩性ある改良であり、特にこれらの請求項に基づく分割出願を行うためである。
【符号の説明】
【００４４】
１  ハウジング
２  ガス入口部材
２’  ガス出口面
３  ヒーター要素
４  ガス供給管
５  ガス分配室
５’  側壁
６  ガス出口孔
７  プロセスチャンバ
８  基板
９  サセプタ
１０  ガス出口プレート
１０’、１０”  分離ゾーン
１１  ガス出口プレート
１１’、１１”  分離ゾーン
１２  ガス出口プレート
１２’、１２”  分離ゾーン
１３  ガス出口プレート
１３’、１３”  分離ゾーン
１４、１４’  ガス出口プレート
１４”  分離ゾーン
１５  ガス出口プレート
１５’  分離ゾーン
１６  ガス出口プレート
１６’  分離ゾーン
１７  ガス出口プレート
１７’  分離ゾーン
１８  ガス出口プレート
１８’  分離ゾーン
１９  ガス出口プレート
２０、２１  ハンガー
２２  後壁
２３  冷却ダクト
２４、２５  突起
２６  螺子
２７  溝
２８  接続片
２９  支持フレームワーク
３０  固定具
３１  支持要素
３２  調整要素
【図１】
0006754365.tif 000002
【図２】
0006754365.tif 000003
【図３】
0006754365.tif 000004
【図４】
0006754365.tif 000005
【図５】
0006754365.tif 000006
【図６】
0006754365.tif 000007